(57)【要約】【課題】ＴＳパケットの未使用領域を活用し、映像や音声又は番組情報、ＣＭ情報等の付加情報を送信し、伝送帯域の有効活用できるデジタル放送方法及びシステムと、放送局及び受信機を提供すること。【解決手段】本発明は、ＴＳパケットの実質的な空き領域をトランスポートプライベートデータ領域として設定し、各ＴＳパケットのトランスポートプライベートデータ領域に重畳できるように、付加情報を分割して分割付加情報を生成し、分割付加情報と、分割付加情報から付加情報を再構築する為の再構築情報とを、トランスポートプライベートデータ領域に重畳して送出し、受信側で、ＴＳパケットのトランスポートプライベートデータ領域から分割付加情報及び再構築情報を抽出し、再構築情報に基づいて、抽出された分割付加情報を再構築して付加情報を復元することを特徴とする。【選択図】図７
2010118949.tif 000002
【特許請求の範囲】
【請求項１】
デジタル放送方法であって、
ＴＳパケットの実質的な空き領域をトランスポートプライベートデータ領域として設定し、各ＴＳパケットの前記トランスポートプライベートデータ領域に重畳できるように、付加情報を分割して分割付加情報を生成し、前記分割付加情報と、前記分割付加情報から前記付加情報を再構築する為の再構築情報とを、前記トランスポートプライベートデータ領域に重畳して送出し、
受信側で、前記ＴＳパケットのトランスポートプライベートデータ領域から前記分割付加情報及び前記再構築情報を抽出し、前記再構築情報に基づいて、抽出された分割付加情報を再構築して付加情報を復元する
ことを特徴とするデジタル放送方法。
【請求項２】
ＴＳパケットのスタッフィングバイト部分を前記トランスポートプライベートデータ領域として設定し、前記分割付加情報を前記トランスポートプライベートデータ領域に重畳することを特徴とする請求項１に記載のデジタル放送方法。
【請求項３】
PESもしくはセクション形式の情報をＴＳパケットに変換した時に生じるスタッフィングバイトのデータ長に基づいて、前記トランスポートプライベートデータ領域のデータ長を可変とすることを特徴とする請求項１又は請求項２に記載のデジタル放送方法。
【請求項４】
ＰＣＲを伝送するＴＳパケットに、少なくとも付加情報が重畳されているＴＳパケットのＰＩＤを識別するＰＩＤ識別情報を重畳し、
受信側で、前記ＰＣＲを伝送するＴＳパケットから前記ＰＩＤ識別情報を抽出し、前記抽出したＰＩＤ識別情報に基づいて、付加情報が重畳されているＴＳパケットを特定する
ことを特徴とする請求項１から請求項３のいずれかに記載のデジタル放送方法。
【請求項５】
前記分割付加情報のインデックスと前記分割付加情報のインデックスの最終値とを少なくとも含む再構築情報を、前記分割付加情報と共に、ＴＳパケットのトランスポートプライベートデータ領域に重畳し、
受信側で、前記ＴＳパケットのトランスポートプライベートデータ領域から前記再構築情報と前記分割付加情報とを抽出し、前記再構築情報に基づいて、前記分割付加情報を再構築して付加情報を復元する
ことを特徴とする請求項１から請求項４のいずれかに記載のデジタル放送方法。
【請求項６】
前記付加情報が、ＴＳパケットに重畳される映像の補完情報であることを特徴とする請求項１から請求項５のいずれかに記載のデジタル放送方法。
【請求項７】
デジタル放送システムであって、
ＴＳパケットの実質的な空き領域をトランスポートプライベートデータ領域として設定し、各ＴＳパケットの前記トランスポートプライベートデータ領域に重畳できるように、付加情報を分割して分割付加情報を生成し、前記分割付加情報と、前記分割付加情報から前記付加情報を再構築する為の再構築情報とを、前記トランスポートプライベートデータ領域に重畳して送出する放送部と、
前記ＴＳパケットを受信し、前記ＴＳパケットのトランスポートプライベートデータ領域から前記分割付加情報及び前記再構築情報を抽出し、前記再構築情報に基づいて、抽出された分割付加情報を再構築して付加情報を復元する受信機と
を有することを特徴とするデジタル放送システム。
【請求項８】
前記放送部は、ＴＳパケットのスタッフィングバイト部分を前記トランスポートプライベートデータ領域として設定し、前記トランスポートプライベートデータ領域に前記分割付加情報を重畳することを特徴とする請求項７に記載のデジタル放送システム。
【請求項９】
前記放送部は、ＰＥＳもしくはセクション形式の情報をＴＳパケットに変換した時に生じるスタッフィングバイトのデータ長に基づいて、前記トランスポートプライベートデータ領域のデータ長を可変とすることを特徴とする請求項７又は請求項８に記載のデジタル放送システム。
【請求項１０】
前記放送部は、ＰＣＲを伝送するＴＳパケットに、少なくとも付加情報が重畳されているＴＳパケットのＰＩＤを識別するＰＩＤ識別情報を重畳し、
前記受信機は、ＰＣＲを伝送するＴＳパケットから前記ＰＩＤ識別情報を抽出し、前記抽出したＰＩＤ識別情報に基づいて、付加情報が重畳されているＴＳパケットを特定する
ことを特徴とする請求項７から請求項９のいずれかに記載のデジタル放送システム。
【請求項１１】
前記放送部は、前記分割付加情報のインデックスと前記分割付加情報のインデックスの最終値とを少なくとも含む再構築情報を、前記分割付加情報と共に、ＴＳパケットのトランスポートプライベートデータ領域に重畳し、
前記受信機は、前記ＴＳパケットのトランスポートプライベートデータ領域から前記再構築情報と前記分割付加情報とを抽出し、前記再構築情報に基づいて、前記分割付加情報を再構築して付加情報を復元する
ことを特徴とする請求項７から請求項１０のいずれかに記載のデジタル放送システム。
【請求項１２】
前記付加情報が、ＴＳパケットに重畳される映像の補完情報であることを特徴とする請求項７から請求項１１のいずれかに記載のデジタル放送システム。
【請求項１３】
デジタル放送の放送局であって、
ＴＳパケットの実質的な空き領域をトランスポートプライベートデータ領域として設定し、各ＴＳパケットの前記トランスポートプライベートデータ領域に重畳できるように、付加情報を分割して分割付加情報を生成し、前記分割付加情報と、前記分割付加情報から前記付加情報を再構築する為の再構築情報とを、前記トランスポートプライベートデータ領域に重畳して送出する放送部を有することを特徴とするデジタル放送の放送局。
【請求項１４】
前記放送部は、ＴＳパケットのスタッフィングバイト部分をトランスポートプライベートデータ領域として設定し、前記分割付加情報を前記トランスポートプライベートデータ領域に重畳することを特徴とする請求項１３に記載のデジタル放送の放送局。
【請求項１５】
前記放送部は、ＰＥＳもしくはセクション形式の情報をＴＳパケットに変換した時に生じるスタッフィングバイトのデータ長に基づいて、前記トランスポートプライベートデータ領域のデータ長を可変とすることを特徴とする請求項１３又は請求項１４に記載のデジタル放送の放送局。
【請求項１６】
前記放送部は、ＰＣＲを伝送するＴＳパケットに、少なくとも付加情報が重畳されているＴＳパケットのＰＩＤを識別するＰＩＤ識別情報を重畳することを特徴とする請求項１３から請求項１５のいずれかに記載のデジタル放送の放送局。
【請求項１７】
前記放送部は、前記分割付加情報のインデックスと前記分割付加情報のインデックスの最終値とを少なくとも含む再構築情報を、前記分割付加情報と共に、ＴＳパケットのトランスポートプライベートデータ領域に重畳することを特徴とする請求項１３から請求項１６のいずれかに記載のデジタル放送の放送局。
【請求項１８】
前記付加情報が、ＴＳパケットに重畳される映像の補完情報であることを特徴とする請求項１３から請求項１７のいずれかに記載のデジタル放送の放送局。
【請求項１９】
付加情報を分割した分割付加情報と、前記分割付加情報から前記付加情報を再構築する為の再構築情報とが、ＴＳパケットのトランスポートプライベートデータ領域に重畳されたＴＳパケットを受信するデジタル放送の受信機であって、
前記ＴＳパケットを受信し、前記ＴＳパケットのトランスポートプライベートデータ領域から前記分割付加情報及び前記再構築情報を抽出し、前記再構築情報に基づいて、抽出された分割付加情報を再構築して付加情報を復元する復元手段を有することを特徴とする受信機。
【発明の詳細な説明】
【技術分野】
【０００１】
本発明はデジタル放送方法及びシステムと、放送局及び受信機に関する。
【背景技術】
【０００２】
日本のデジタル放送は、ＡＲＩＢ  ＳＴＤ−Ｂ３１等に規定されているＴＳ（ｔｒａｎｓｐｏｒｔ  ｓｔｒｅａｍ：トランスポート・ストリーム）パケット（以下、ＴＳパケットと記載する）にて、映像・音声等の各種データを伝送している。このＴＳパケットには、映像・音声などの実データを差し引いた実質的未使用領域がある。このような実質的未使用領域を活用した技術が特許文献１に記載されている。
【０００３】
この技術は、デジタル放送で伝送するＰＣＲパケットの実質的未使用領域に、番組放送と非連動で遅延なく即時に伝送することが求められるリアルタイムデータを重畳することを特徴とする。
【特許文献１】特開２００６−１３５９２０号公報
【発明の開示】
【発明が解決しようとする課題】
【０００４】
しかしながら、特許文献１に記載されている技術は、データ量が少なく、単一のパケットで完結するようなＧＰＳの位置情報等しか考慮されていない。その一方で、ＴＳパケット全体で、かなりのデータ量の領域が未使用となっている。
【０００５】
一方、放送する側は、データ量がある程度ある、映像や音声又は番組等の付加情報を伝送したいという要求があった。
【０００６】
そこで、本発明は上記課題に鑑みて発明されたものであって、その目的は、ＴＳパケットの未使用領域を活用し、映像や音声又は番組情報、ＣＭ情報等の付加情報を送信し、伝送帯域の有効活用できるデジタル放送方法及びシステムと、放送局及び受信機を提供することにある。
【課題を解決するための手段】
【０００７】
上記課題を解決する本発明は、ＴＳパケットの実質的な空き領域をトランスポートプライベートデータ領域として設定し、各ＴＳパケットの前記トランスポートプライベートデータ領域に重畳できるように、付加情報を分割して分割付加情報を生成し、前記分割付加情報と、前記分割付加情報から前記付加情報を再構築する為の再構築情報とを、前記トランスポートプライベートデータ領域に重畳して送出し、受信側で、前記ＴＳパケットのトランスポートプライベートデータ領域から前記分割付加情報及び前記再構築情報を抽出し、前記再構築情報に基づいて、抽出された分割付加情報を再構築して付加情報を復元することを特徴とするデジタル放送方法である。
【０００８】
上記課題を解決する本発明は、デジタル放送システムであって、ＴＳパケットの実質的な空き領域をトランスポートプライベートデータ領域として設定し、各ＴＳパケットの前記トランスポートプライベートデータ領域に重畳できるように、付加情報を分割して分割付加情報を生成し、前記分割付加情報と、前記分割付加情報から前記付加情報を再構築する為の再構築情報とを、前記トランスポートプライベートデータ領域に重畳して送出する放送部と、前記ＴＳパケットを受信し、前記ＴＳパケットのトランスポートプライベートデータ領域から前記分割付加情報及び前記再構築情報を抽出し、前記再構築情報に基づいて、抽出された分割付加情報を再構築して付加情報を復元する受信機とを有することを特徴とするデジタル放送システムである。
【０００９】
上記課題を解決する本発明は、デジタル放送の放送局であって、ＴＳパケットの実質的な空き領域をトランスポートプライベートデータ領域として設定し、各ＴＳパケットの前記トランスポートプライベートデータ領域に重畳できるように、付加情報を分割して分割付加情報を生成し、前記分割付加情報と、前記分割付加情報から前記付加情報を再構築する為の再構築情報とを、前記トランスポートプライベートデータ領域に重畳して送出する放送部を有することを特徴とするデジタル放送の放送局である。
【００１０】
上記課題を解決する本発明は、付加情報を分割した分割付加情報と、前記分割付加情報から前記付加情報を再構築する為の再構築情報とが、ＴＳパケットのトランスポートプライベートデータ領域に重畳されたＴＳパケットを受信するデジタル放送の受信機であって、前記ＴＳパケットを受信し、前記ＴＳパケットのトランスポートプライベートデータ領域から前記分割付加情報及び前記再構築情報を抽出し、前記再構築情報に基づいて、抽出された分割付加情報を再構築して付加情報を復元する復元手段を有することを特徴とする受信機である。
【発明の効果】
【００１１】
本発明によれば、デジタル放送において、伝送帯域の有効活用できる。
【発明を実施するための最良の形態】
【００１２】
＜第１の実施の形態＞
第１の実施の形態を説明する。
【００１３】
第１の実施の形態は、付加情報を分割して分割付加情報を生成し、この分割付加情報をＴＳ（Ｔｒａｎｓｐｏｒｔ  Ｓｔｒｅａｍ）パケットのトランスポートプライベートデータ領域に重畳して送出する。そして、受信側において、ＴＳパケットのトランスポートプライベートデータ領域から分割付加情報を抽出して再構築し、付加情報を復元する例を説明する。
【００１４】
現在、映像や音声のＰＥＳパケットや、ＰＳＩ／ＳＩセクションをＴＳパケットに変換する場合、各ＴＳパケットの１８４ｂｙｔｅのデータ重畳領域全てが映像や音声、ＥＰＧ情報等の実データで埋まっているわけではなく、ペイロードもしくはアダプテーションフィールドには領域を使用していない、又は、放送事業者等の制御情報等に割り当てられている等、実質的に使用されていない領域がある。それらの領域をトランスポートプライベートデータ領域として設定する。そして、図１に示す如く、トランスポートプライベートデータ領域に、付加情報を分割して重畳する。
【００１５】
トランスポートプライベートデータ領域のデータ長は、図１に示す如く、固定長でも良いが、図２に示す如く、可変長にしても良い。可変長にする場合、例えば、ＰＥＳセクションデータをＴＳパケット化する際に、最終ＴＳパケットに発生するスタフィングバイトの領域のサイズ（ＳＴＦとする）を算出する。そして、当該ＰＥＳセクションデータのＴＳパケット数をカウント（Ｎとする）し、各ＴＳパケットにＳＴＦ／Ｎのサイズのトランスポートプライベートデータ領域を設定する。
【００１６】
ここで、付加情報について説明する。付加情報としては、映像、音声を補完する補完情報や、放送する番組・ＣＭに関する情報、例えば、ＥＰＧ情報・ＣＭ情報が考えられる。本実施の形態では、付加情報として、地上デジタル放送の部分放送（以下、ワンセグ放送と記載する）における映像の補完情報を例にして説明する。具体的には、映像の補完情報をワンセグ放送の映像フレーム（映像の実データ）の補完情報とし、この補完情報に基づいて、携帯受信機（ワンセグ放送受信機）向けの映像ストリームのフレームレートを現在の１５ｆｐｓから３０ｆｐｓにする例を説明する。尚、他の映像の補完情報として、画像の高精細化の情報、例えば、画像の周波数成分に関する情報等がある。
【００１７】
映像ストリームを３０ｆｐｓ化するためには、双方向予測ピクチャ（Ｂピクチャ）が一般的である。しかし、現在、ワンセグ放送の映像符号化に採用されているＨ．２６４／ＭＰＥＧ４  ＡＶＣのベースライン・プロファイルでは、Ｂピクチャは無く、ＩピクチャおよびＰピクチャのみである。そこで、本実施の形態では、Ｈ．２６４／ＭＰＥＧ４ ＡＶＣ  メイン・プロファイルのツール群を応用して、Ｂピクチャの実データ、又はＢピクチャ生成のための指針情報を送信側で生成し、これを映像フレームの補完情報とする。
【００１８】
補完情報がＢピクチャの実データの場合、Ｂピクチャの実データを、送信側エンコーダで生成し、生成されたＢピクチャの実データを、後述する配置条件に従ったデータ長に分割後、ＴＳパケットのトランスポートプライベートデータ領域に重畳して送出する。受信機側では、トランスポートプライベートデータ領域に重畳されているデータを抽出し、抽出されたデータを再構築することでＢピクチャを得る。
【００１９】
補完情報がＢピクチャ生成のための指針情報の場合、送信側のエンコーダにて、マルチブロックやサブマルチブロックごとの処理モードや参照フレームなどの情報を生成し、これをＢピクチャ生成のための指針情報とする。そして、その指針情報を、後述する配置条件に従ったデータ長に分割後、ＴＳパケットのトランスポートプライベートデータ領域に重畳して送出する。受信機側では、トランスポートプライベートデータ領域に重畳されているデータを抽出し、抽出されたデータを再構築することで指針情報を得る。そして、その指針情報を元にＢピクチャを生成する。これらの指針情報を伝送することにより、受信機がフレーム補完用のピクチャを生成する際に原画像情報よりＢピクチャを生成する場合と同様の手法で実行でき、生成精度の向上や参照ピクチャ探索範囲削減によるデコーダ処理速度向上が見込まれ、実データ（Ｂピクチャそのもの）を伝送しなくても受信機が指針情報なしで３０ｆｐｓ化する場合に対し高画質な３０ｆｐｓ化が可能となる。また、ＢピクチャにてＩｎｔｒａモード（フレーム内圧縮）を使用するスライスではＩｎｔｒａ圧縮後のデータを多重し、原画像からしか得られない情報を受信機に伝送する。尚、Ｈ．２６４／ＭＰＥＧ４ ＡＶＣ  メイン・プロファイルにてＢピクチャを生成する場合、マクロブロックやサブマクロブロック毎に符号化モードを選択するが、その際、符号化モードが画面内予測であった場合には、原画像が無いとＢピクチャを生成できない。そこで、符号化モードが画面内予測だった場合には、そのブロックに関する全情報を伝送する。
【００２０】
次に、上述の如く生成されたＢピクチャの実データ、又はＢピクチャ生成の指針情報の補完情報を、ＴＳパケットのトランスポートプライベートデータ領域に重畳する場合の配置条件について説明する。
【００２１】
まず、分割された補完情報（以下、分割補完情報と記載する）を重畳する領域として、映像・音声等の各ＴＳパケットのトランスポートプライベートデータ領域を、ある設定値（例えば、８×Ｎビット）ずつ用いることにする。
【００２２】
次に、分割補完情報をトランスポートプライベートデータ領域に重畳するのであるが、どのＴＳパケットのトランスポートプライベートデータ領域に、どの分割補完情報が重畳されているかを判別しなければならない。そこで、対象サービスのＰＣＲ（Ｐｒｏｇｒａｍ  Ｃｌｏｃｋ  Ｒｅｆｅｒｅｎｃｅ）のトランスポートプライベートデータ領域に、提供するサービスの種類（例えば、映像ストリームの３０フレーム化、番組情報提供（ＥＰＧ）と言ったサービス）と、分割付加情報が重畳されているＴＳパケットのＰＩＤ（Ｐａｃｋｅｔ  Ｉｄｅｎｔｅｆｉｅｒ）を識別する情報とを含む付加情報構成ヘッダを配置する。ＰＣＲを利用することで、映像・音声等のＴＳパケットのＰＥＳ／セクションファイル条件に依存せず、一定周期でＰＩＤの指定を行うことができる。受信機側では、ＰＣＲのトランスポートプライベートデータ領域を必ず参照することで、分割補完情報が重畳されているＴＳパケットのみをフィルタリングすることができる。これにより、情報の内容や伝送量に応じて重畳するＴＳパケットを選択でき、よりフレキシブルな付加情報の伝送が実現できる。
【００２３】
本実施の形態で用いる付加情報構成ヘッダの一例を、図３に示す。図３の例では、付加情報構成ヘッダは、サービスの種類を示すＩＤ（以下、additional_info_type_IDと記載する）と、そのサービスの付加情報が重畳されているＰＩＤとから構成される。尚、本実施の形態では、付加情報は映像ストリームの３０ｆｐｓ化の為の映像の補完情報であり、その識別情報は“０００”となるが、伝送される付加情報の種類が予め分かっている場合等、かならずしも必要とは限らない。
【００２４】
図４に、付加情報構成ヘッダをＰＣＲのトランスポートプライベートデータ領域に重畳した一例を示す。図４の例では、ＰＣＲのトランスポートプライベートデータ領域に、上記の付加情報構成ヘッダに加えて後述する再構築ヘッダ、付加情報本体を更に重畳しているが、付加情報構成ヘッダだけでも良い。
【００２５】
付加情報構成ヘッダにより、補完情報が重畳されているＴＳパケットは抽出することはできるが、ＴＳパケットに重畳されている分割補完情報を補完情報に再構築する必要がある。そこで、各ＴＳパケットのトランスポートプライベートデータ領域に重畳される分割補完情報のヘッダとして、再構築用の制御情報（以下、再構築ヘッダと記載する）を、分割補完情報と共に各ＴＳパケットのトランスポートプライベートデータ領域に重畳する。
【００２６】
本実施の形態における再構築ヘッダの例を図５に示す。図５に示される再構築ヘッダは、分割付加情報の種類を判定するためのＩＤであるadditional_info_type_IDと、生成されるピクチャ情報のＩＤ（例えば、映像のＰＴＳ）であるpicture_info_IDと、分割付加情報のインデックスであるinfo_indexと、分割付加情報のインデックスの最終値であるinfo_last_indexとから構成される。尚、上記の他、再構築ヘッダ長および本体付加データ長を記載することもできる。
【００２７】
このような、付加情報構成ヘッダ及び再構築ヘッダを用いて、受信側で、分割されてＴＳパケットのトランスポートプライベートデータ領域に重畳された分割付加情報から、必要な分割付加情報のみを抽出し、分割付加情報を再構築して付加情報を復元する。
【００２８】
続いて、上述した方法を実現する放送システムについて説明する。
【００２９】
まず、トランスポートプライベートデータ領域のデータ長を固定長にする場合の例を説明する。
【００３０】
図６は本実施の形態における放送システムのブロック図である。本実施の形態における放送システムは、映像フレームの補完情報を生成する補完情報生成部１と、生成された補完情報を事前に設定した一定値のデータ長に分割すると共に、付加情報構成ヘッダ及び再構築ヘッダを生成する補完情報分割部２と、補完情報分割部２から出力されるデータをトランスポートプライベートデータ領域に重畳するＴＳパケット生成部３とを備える放送部１０と、ＴＳパケットを受信し、ＴＳパケットに重畳されている分割付加情報を抽出する分割付加情報抽出部４と、分割付加情報を再構築して付加情報を復元する復元部５と、デコーダ部６とを備える受信部２０とを備える。
【００３１】
尚、ＴＳパケット生成部３には、映像データ、音声データ、データ放送のデータ、ＳＩ情報等が入力される。
【００３２】
次に、上述した放送システムの動作を説明する。
【００３３】
まず、放送部１０の動作について説明する。図７は放送部１０の動作を説明する為の図である。
【００３４】
補完情報生成部１は、上述したＢピクチャの実データ又はＢピクチャ生成のための指針情報（以下、補完情報と記載する）を生成し、これを補完情報分割部２に出力する。
【００３５】
補完情報分割部２は、所定の設定値（例えば、８×Ｎビット）から再構築ヘッダのデータ量を減算したデータ長となるように、入力された補完情報を分割し、分割補完情報を生成する。また、分割補完情報毎に再構築ヘッダの情報を生成する。また、補完情報の為の付加情報構成ヘッダの情報を生成する。そして、分割補完情報、再構築ヘッダの情報及び付加情報構成ヘッダの情報を、ＴＳパケット生成部３に出力する。
【００３６】
ＴＳパケット生成部３は、分割補完情報と再構築ヘッダとを、ＴＳパケットのトランスポートプライベートデータ領域に重畳する。一方、ＰＣＲのトランスポートプライベートデータ領域に、付加情報構成ヘッダを重畳する。
【００３７】
続いて、受信部２０の動作を説明する。図８は、本実施の形態における受信部２０の動作を説明する為の図である。
【００３８】
まず、分割付加情報抽出部４は、受信したＴＳパケットのＰＣＲのトランスポートプライベートデータ領域を参照し、付加情報構成ヘッダを抽出して付加情報構成ヘッダで指定されているＰＩＤを取得する。図８の例では、指定されているＰＩＤは“１００，２００，３００”である。従って、ＰＩＤが“１００，２００，３００”であるＴＳパケットのみを取得する。そして、分割付加情報抽出部４は、取得したＴＳパケットのトランスポートプライベートデータ領域から分割補完情報と再構築ヘッダとを抽出し、復元部５に出力する。
【００３９】
復元部５は、入力された再構築ヘッダのadditional_info_type_IDを参照し、該当する分割補完情報のみ選別する。本例では、提供しているサービスが映像の３０フレーム化であり、補完情報がＢピクチャの実データとし、それを示す再構築ヘッダのadditional_info_type_IDが“０００”であるとする。そこで、復元部５は、Ｂピクチャの実データが分割されたデータを取得する必要があるので、additional_info_type_IDが“０００”である分割補完情報のみ選別する。取得された分割補完情報と再構築ヘッダとは、一旦、内部のバッファに取り込まれる。
【００４０】
次に、復元部５は、同一のpicture_info_ID（例えば、映像のＰＴＳ値）を持つ分割補完情報について、対応する再構築ヘッダのinfo_index（0〜info_last_index）をキーとして、info_indexの番号の順番にinfo_last_indexの番号までソートする。そして、再構築ヘッダを除去した後、ソートされた順に分割補完情報を再構築（合成）し、送信側と同一の補完情報を復元する。
【００４１】
最後に、復元された補完情報を用いて、デコーダ部６にて３０ｆｐｓ化の処理を行う。
【００４２】
このように、本実施の形態では、ひとつのＴＳパケットのトランスポートプライベートデータ領域のみでは送れない様な映像等の付加情報等を分割して送信し、受信側で付加情報を復元することができるので、伝送帯域の有効活用のみならず、サービスの多様化を図ることができる。
【００４３】
次に、最終ＴＳパケットのスタフィングバイトのデータ長に基づいて、トランスポートプライベートデータ領域のデータ長を可変長にする場合の放送システムの例を、図９を参照して説明する。尚、上述した図６に示されるものと同様なものについては、同じ図番を付し、詳細な説明を省略する。本実施の形態ではトランスポートプライベートデータ領域のデータ長を固定長とする場合よりも有効な帯域活用が可能となる。
【００４４】
図９に示される放送システムと図６に示される放送システムとの異なる所は、事前処理部１１と、ＴＳパケット生成部１２と、補完情報分割部１３とである。
【００４５】
事前処理部１１は、例えば、ＰＥＳ／セクションデータを、ＴＳパケット化する際に、最終ＴＳパケットに発生するスタフィングバイトの領域のサイズ（以下、ＳＴＦと記載する）を算出する。また、当該ＰＥＳ／セクションデータのＴＳパケット数をカウントし、カウント数をＮとする。そして、個々のＴＳパケットにＳＴＦ／Ｎのサイズ（データ長）のトランスポートプライベートデータ領域を設定する。更に、ＳＴＦ／Ｎのサイズ（データ長）を、補完情報分割部１３に通知する。
【００４６】
補完情報分割部１３は、通知されたＳＴＦ／Ｎのサイズ（データ長）に、補完情報を分割する。
【００４７】
ＴＳパケット生成部１２は、補完情報分割部１３からの補完情報を、設定されたＳＴＦ／Ｎのサイズ（データ長）のトランスポートプライベートデータ領域に重畳する。
【００４８】
このような構成にすることにより、ＴＳレートの増加を全く伴わず付加情報を重畳することが可能である。
【００４９】
他の構成は同様なものなので、説明は省略する。
【００５０】
＜第２の実施の形態＞
第２の実施の形態を説明する。
【００５１】
現在、デジタル放送等は、伝送レートを一定にするため、最終のＴＳパケットにスタフィングバイトを重畳している。このスタフィングバイトは、ＰＥＳやセクションなどをＴＳ化する際に、ＴＳパケット長に満たなかったデータの最終部分を含むＴＳパケットに埋め込むペイロードサイズ調整用の穴埋めデータであり、本来伝送する必要のないデータである。
【００５２】
そこで、第２の実施の形態では、第１の実施の形態に加えて、図１０に示すように、ＴＳパケットの最終パケットのスタフィングバイト部分も、トランスポートプライベートデータ領域とし、この領域にも分割付加情報を重畳する。
【００５３】
なお、第２の実施の形態では図１１に示すようにＰＥＳもしくはセクション形式等のデータをＴＳパケットに格納する際、ＰＥＳもしくはセクションデータ等の最終データ部が格納されるＴＳパケットでＴＳパケットを固定長とする穴埋め用のスタッフィングバイト部の領域分をトランスポートプライベートデータ領域に設定し、その他のＴＳパケットにはトランスポートデータを設定しない手法もある。その場合、逐次性はある程度失われるが、上述したトランスポートプライベートデータ領域のデータ長を可変長にする場合と同様にＴＳレートの増加を全く伴わず付加情報を重畳することが可能である。更に、付加情報が重畳されるＴＳパケットが減少することより当該の再構築情報記載分情報量も減少し、重畳可能な付加情報の実情報は増加する為、番組情報等の重畳周期がある程度揺れることが許容できる付加情報を重畳する際には有効である。
【００５４】
第２の実施の形態が第１の実施の形態と異なる所は、ＰＥＳやセクションなどをＴＳ化する際にあらかじめ最終ＴＳパケットでのスタッフィングバイトのデータ長を計算しておき、このデータ長の同じデータ長の分割付加情報（再構築ヘッダを含む）を生成し、この分割付加情報（再構築ヘッダを含む）をそのスタッフィングバイト部分に重畳する。
【００５５】
図１２は、第２の実施の形態の放送システムのブロック図である。尚、上述した図６に示されるものと同様なものについては、同じ図番を付し、詳細な説明を省略する。
【００５６】
図１２に示される放送システムと図５に示されるシステムとの異なる所は、ＴＳパケット生成部２１と、補完情報分割部２２と、多重部におけるスタフィングバイト置換処理部２３（以下、ＳＴＦ置換処理部２３と記載する）とである。
【００５７】
ＴＳパケット生成部２１は、第１の実施の形態の動作に加え、例えば、ＰＥＳ／セクションデータをＴＳパケット化する際に、最終ＴＳパケットに発生するＳＴＦバイト領域のサイズ（データ長）を算出する。算出したＳＴＦバイト領域のサイズ（データ長）は、補完情報分割部２２に通知される。
【００５８】
補完情報分割部２２は、第１の実施の形態の動作に加え、ＴＳパケット生成部２１より通知されたＳＴＦバイト領域のサイズ（データ長）に従って、補完情報を分割する。
【００５９】
ＳＴＦ置換処理部２３は、ＳＴＦバイト部分を補完情報に置換する。
【００６０】
次に、上述のように構成された放送システムの動作を、図１３、図１４を用いて、説明する。
【００６１】
まず、放送部１０の動作について説明する。
【００６２】
補完情報生成部１は、上述したＢピクチャの実データ又はＢピクチャ生成のための指針情報（以下、補完情報と記載する）を生成し、これを補完情報分割部２に出力する。
【００６３】
補完情報分割部２は、所定の設定値（例えば、８×Ｎビット）から再構築ヘッダのデータ量を減算したデータ長となるように、入力された補完情報を分割し、分割補完情報を生成する。このとき、最終ＴＳパケットでスタッフィングバイトがあるようであれば、そのデータ長の補完情報も生成する。また、分割補完情報毎に再構築ヘッダの情報を生成する。また、補完情報の為の付加情報構成ヘッダの情報を生成する。そして、分割補完情報、再構築ヘッダの情報及び付加情報構成ヘッダの情報を、ＴＳパケット生成部３に出力する。
【００６４】
ＴＳパケット生成部３は、分割補完情報と再構築ヘッダとを、ＴＳパケットのトランスポートプライベートデータ領域、及び最終ＴＳパケットでスタッフィングバイト部分に重畳する。一方、ＰＣＲのトランスポートプライベートデータ領域に、付加情報構成ヘッダを重畳する。
【００６５】
続いて、受信部２０の動作を説明する。
【００６６】
まず、分割付加情報抽出部４は、受信したＴＳパケットのＰＣＲのトランスポートプライベートデータ領域を参照し、付加情報構成ヘッダを抽出して付加情報構成ヘッダで指定されているＰＩＤを取得する。図１４の例では、指定されているＰＩＤは“１００，２００，３００”である。従って、ＰＩＤが“１００，２００，３００”であるＴＳパケットのみを取得する。そして、分割付加情報抽出部４は、取得したＴＳパケットのトランスポートプライベートデータ領域及び最終ＴＳパケットのスタッフィングバイト部分から分割補完情報と再構築ヘッダとを抽出し、復元部５に出力する。
【００６７】
復元部５は、入力された再構築ヘッダのadditional_info_type_IDを参照し、該当する分割補完情報のみ選別する。本例では、提供しているサービスが映像の３０フレーム化であり、補完情報がＢピクチャの実データとし、それを示す再構築ヘッダのadditional_info_type_IDが“０００”であるとする。そこで、復元部５は、Ｂピクチャの実データが分割されたデータを取得する必要があるので、additional_info_type_IDが“０００”である分割補完情報のみ選別する。取得された分割補完情報と再構築ヘッダとは、一旦、内部のバッファに取り込まれる。
【００６８】
次に、復元部５は、同一のpicture_info_ID（例えば、映像のＰＴＳ値）を持つ分割補完情報について、対応する再構築ヘッダのinfo_index（0〜info_last_index）をキーとして、info_indexの番号の順番にinfo_last_indexの番号までソートする。そして、再構築ヘッダを除去した後、ソートされた順に分割補完情報を再構築（合成）し、送信側と同一の補完情報を復元する。
【００６９】
最後に、復元された補完情報を用いて、デコーダ部６にて３０ｆｐｓ化の処理を行う。
【００７０】
このように、本実施の形態では、第１の実施の形態に加え、最終ＴＳパケットのスタッフィングバイト部分も利用しているので、更なる伝送帯域の有効活用を図ることができる。
【図面の簡単な説明】
【００７１】
【図１】図１は第１の実施の形態を説明する為の図である。
【図２】図２は第１の実施の形態の他の例を説明する為の図である。
【図３】図３は本実施の形態で用いる付加情報構成ヘッダの一例を示した図である。
【図４】図４は第１の実施の形態におけるＰＣＲの利用を説明する為の図である。
【図５】図５は本実施の形態における再構築ヘッダの例を示した図である。
【図６】図６は本実施の形態における放送システムのブロック図である。
【図７】図７は第１の実施の形態における放送部１０の動作を説明する為の図である。
【図８】図８は第１の実施の形態におけるにおける受信部２０の動作を説明する為の図である。
【図９】図９は本実施の形態における他の放送システムのブロック図である。
【図１０】図１０は第２の実施の形態を説明する為の図である。
【図１１】図１１は第２の実施の形態で付加情報を重畳するＴＳパケットを最終パケットに限定することにより、ＴＳレート増無しに付加情報を重畳する手法について説明する為の図である。
【図１２】図１１は第２の実施の形態における放送システムのブロック図である。
【図１３】図１２は第２の実施の形態における放送部１０の動作を説明する為の図である。
【図１４】図１３は第２の実施の形態における受信部２０の動作を説明する為の図である。
【符号の説明】
【００７２】
１      補完情報生成部
２      補完情報分割部
３      ＴＳパケット生成部
４      分割付加情報抽出部
５      復元部
６      デコーダ部
【図１】
2010118949.tif 000003
【図２】
2010118949.tif 000004
【図３】
2010118949.tif 000005
【図４】
2010118949.tif 000006
【図５】
2010118949.tif 000007
【図６】
2010118949.tif 000008
【図７】
2010118949.tif 000009
【図８】
2010118949.tif 000010
【図９】
2010118949.tif 000011
【図１０】
2010118949.tif 000012
【図１１】
2010118949.tif 000013
【図１２】
2010118949.tif 000014
【図１３】
2010118949.tif 000015
【図１４】
2010118949.tif 000016